(57)【要約】化学蒸着反応室において実質的に均一な基板温度を可能にするための方法及び装置が提供されている。この方法及び装置は、反応室内に基板１６０を保持するための支持体１１０と、この支持体及び基板を加熱するように設けられた複数の加熱要素１２０，１３０，１４０とを使用している。基板用高温計１３８，１３９は、基板の温度を測定してプロセス温度を表わす信号を発生するものである。この信号は、フィードバックループ１５１，１３４，１３２において１つ以上の加熱要素を制御するために用いられる。支持体の異なる区域に合焦された少なくとも２つの支持体用高温計１２６，１３６，１４６が設けられている。これら支持体用高温計からの信号は温度の非均一性の指示を出すため比較される。この指示は、支持体全域にわたり温度を維持するように他の加熱要素を調節するため別のフィードバックループ１４９，１２４，１２２において用いられる。【選択図】図３
2004513510.tif 000002
【特許請求の範囲】
【請求項１】
化学蒸着反応室にある基板の制御された加熱を行うための装置であって、
前記反応室にある少なくとも１つの基板を保持するため、第１区域及び第２区域を含む支持体と、
前記支持体及び前記少なくとも１つの基板を加熱するための第１及び第２加熱要素とを備え、前記第１加熱要素は、前記第１区域を優先的に加熱するように設けられており、
前記１つ以上の基板のうちの少なくとも１つの基板からの放射を測定することによりプロセス温度を測定するための少なくとも１つの基板用高温計と、
前記支持体の前記第１区域からの放射を表わす第１区域信号を発生するように作動する第１の支持体用高温計及び前記支持体の前記第２区域からの放射を表わす第２区域信号を発生するように作動する第２の支持体用高温計と、
を備えている装置。
【請求項２】
前記第１及び第２の支持体用高温計に接続されると共に、前記第１区域信号及び前記第２区域信号間の差を表わす第１差信号を発生するように設けられた第１のコンパレータと、少なくとも部分的に前記プロセス温度に基づいて前記第２加熱要素の作動を制御すると共に、少なくとも部分的に前記第１差信号に基づいて前記第１加熱要素の作動を制御するように構成されて配置された１つ以上のコントローラとを更に備えている、請求項１に記載の装置。
【請求項３】
前記少なくとも１つの基板用高温計は放射率補償型高温計であり、前記支持体用高温計は非放射率補償型高温計である、請求項１に記載の装置。
【請求項４】
前記支持体は中心軸線を有しており、前記第１区域及び前記第２区域は、前記中心軸線から異なる半径方向距離のところに配置されている、請求項３に記載の装置。
【請求項５】
前記第１区域は前記第２区域の半径方向内側に配置されており、前記支持体は前記第２区域の半径方向外側に配置された第３区域も有しており、前記装置は更に、前記支持体の前記第３区域からの放射を表わす第３区域信号を発生するように作動する第３の支持体用高温計と、前記第２及び第３の支持体用高温計に接続されると共に、前記第２区域信号及び前記第３区域信号間の差を表わす第２差信号を発生するように設けられた第２のコンパレータとを備えており、前記１つ以上のコントローラは、少なくとも部分的に前記第２差信号に基づいて前記第３加熱要素を制御するように作動している、請求項４に記載の装置。
【請求項６】
前記各加熱要素は半径方向に離間している、請求項５に記載の装置。
【請求項７】
前記軸線回りに前記支持体を回転させる回転装置を更に備えている、請求項５に記載の装置。
【請求項８】
前記第１加熱要素に電力を供給するための第１電源と、前記第２加熱要素に電力を供給するための第２電源と、前記第３加熱要素に電力を供給するための第３電源とを備え、前記１つ以上のコントローラは前記各電源の作動を制御するように動作している、請求項５に記載の装置。
【請求項９】
前記１つ以上のコントローラは、前記プロセス温度には応答しないが前記第１差信号に応じて前記第１加熱要素の作動を制御するように動作する第１コントローラと、前記第１差信号には応答しないが前記プロセス温度に応じて前記第２加熱要素を制御するように動作する第２コントローラとを備えている、請求項１に記載の装置。
【請求項１０】
化学蒸着反応室にある基板の制御された加熱を行うための装置であって、
前記反応室にある少なくとも１つの基板を保持するため、第１区域及び第２区域を含む支持体と、
該支持体を加熱するための加熱手段と、
前記１つ以上の基板のうちの少なくとも１つの基板の温度を計測することによりプロセス温度を測定するための手段と、
前記支持体の前記第１区域の温度に関係したパラメータを表わす第１区域信号及び前記支持体の前記第２区域の温度に関係したパラメータを表わす第２区域信号を発生するための手段と、
設定温度との前記測定されたプロセス温度の比較に少なくとも部分的に基づいて前記プロセス温度を目標温度に維持すると共に、前記各区域信号の比較に少なくとも部分的に基づいて前記支持体の前記各区域間の温度均一性を維持するように前記加熱手段を制御するための制御手段と、
を備えている装置。
【請求項１１】
化学蒸着装置にある基板の温度を制御するための方法であって、
前記化学蒸着装置にある前記基板を支持するための支持体を用意するステップと、
前記支持体及び前記基板を加熱するステップと、
前記基板の温度を測定するステップと、
前記支持体の少なくとも２つの区域から支持体温度に関係したパラメータの指示を取得するステップと、
差信号を得るために前記少なくとも２つの区域からの前記パラメータの指示を比較するステップと、
前記測定した温度を設定値に維持し且つ前記差信号を所定レベルに維持するように、前記測定した温度及び前記差信号に応答して前記各区域への熱伝達を調整するステップと、
を含む方法。
【請求項１２】
前記所定レベルは実質的にゼロに等しい、請求項１１に記載の方法。
【請求項１３】
前記少なくとも１つの基板は鏡のような表面を有し、前記基板の温度を測定する前記ステップは放射率補償型高温計を使用することを含む、請求項１２に記載の方法。
【請求項１４】
前記パラメータの指示を取得する前記ステップは、少なくとも１つの非放射率補償型高温計を使用することを含む、請求項１３に記載の方法。
【請求項１５】
前記パラメータの指示を取得する前記ステップは、少なくとも２つの非放射率補償型高温計を使用することを含む、請求項１４に記載の方法。
【請求項１６】
前記支持体は拡散表面を有している、請求項１５に記載の方法。
【請求項１７】
化学蒸着装置にある１つ以上の半導体ウェーハを熱処理する方法であって、
前記化学蒸着装置にある前記１つ以上の半導体ウェーハを支持するための支持体を用意するステップと、
前記支持体上の前記１つ以上の半導体ウェーハを目標作動温度まで加熱するステップと、
放射率補償型高温計を用いて前記半導体ウェーハの温度を測定するステップと、
前記支持体上の少なくとも２つの区域間の温度差に関係する差信号を発生するステップと、
少なくとも部分的に前記差信号に基づいて前記支持体の前記少なくとも２つの区域の一方における温度を調整するステップと、
を含む方法。
【請求項１８】
前記差信号を発生する前記ステップは、１つ以上の非放射率補償型高温計を用いて前記支持体からの放射を監視することを含む、請求項１７に記載の方法。
【発明の詳細な説明】
【０００１】
［発明の分野］
本発明は、基板温度の測定及び制御に関係している。特に、本発明は、基板上に被膜を堆積させている間、同基板の温度均一性を制御するための方法及び装置に関するものである。
【０００２】
［発明の背景］
工業界の多方面において、中実基板上に薄い層もしくは膜を形成するプロセスが採用されている。例えば、半導体デバイスの製造に際しては、基板上に様々な材料を堆積させるために、化学蒸着法及びその他の堆積技術が使用されている。半導体デバイスの製造中、プレーナーシリコン又はガリウムヒ素ウェーハ或いはその他の適当な材料の加熱基板は、種々のガスに晒され、該ガスが反応してウェーハの表面上に所望材料を堆積させている。一般的に、堆積材料は、下層のウェーハの結晶格子構造を再現するエピタキシャル膜を形成するものである。
【０００３】
その後、これらの被覆ウェーハは、レーザ、トランジスタ、発光ダイオード及びその他多くのデバイスのような半導体デバイスを形成するために、良く知られた更なる処理を受けることになる。例えば、発光ダイオードを製造する場合、ウェーハ上に堆積された諸層は、該ダイオードの能動素子を形成している。堆積層の厚み、組成及び品質は、結果として製造される半導体デバイスの特性を決定するものである。従って、堆積工程は、各ウェーハの前面上に均一な組成及び厚みの膜を堆積させることができねばならない。均一性についての必要性は、より大径のウェーハの使用に伴なって、また、幾枚かのウェーハ上に同時に被膜を堆積させる装置の使用に伴なって、次第により厳しく迫ってきている。
【０００４】
図１に示した代表的な従来の堆積装置において、ウェーハ１０は、サセプタ１４に装着されたウェーハ支持体１２に取付けられている。サセプタ１４は、ウェーハ支持体の回転を可能にする回転支持スピンドル１６に取付けられている。これらサセプタ１４、ウェーハ支持体１２及びウェーハ１０は、囲ったプロセス反応器１８内に配置されるのが一般的である。サセプタ１４の下方には加熱アセンブリ２０が対称的に配置され、該加熱アセンブリがサセプタを加熱しており、従って、これによりサセプタ上に装着されたウェーハ支持体１２及びウェーハ１０が加熱される結果となる。支持体１２の回転は、堆積領域一面に流れる原料物質ガス又は蒸発気の均一性ばかりでなく、堆積領域全体にわたる温度均一性を高めることを企図している。技術的に既知であるように、反応物が反応室に導入され、膜がウェーハの表面上に堆積されるようになっている。
【０００５】
図２に示したウェーハ支持体１２のような通常のウェーハ支持体は、堆積工程中にウェーハ支持体が回転されるときに、複数のウェーハを所定位置に保持しておくため、同ウェーハ支持体の上側表面に複数の円筒形ポケット２２を備えている。また、これらのウェーハ支持体は、通常、環状のフランジ部２４も備えており、該フランジ部を使用し、ウェーハ支持体を持ち上げて搬送し反応室に入れたり反応室から出したりしている。ウェーハ支持体は、堆積工程中にアセンブリが回転されるときにウェーハ支持体をサセプタ上に同心円状に配置して保持すると共に、サセプタの上側表面とウェーハ支持体の下側表面との間に間隙２８を形成するために、ウェーハ支持体の底部表面に環状壁２６を備えており、この間隙により、ウェーハ支持体及びサセプタ間の接触点により結果的に生ずるウェーハ支持体の局部加熱を無くして、サセプタからウェーハ支持体への熱の均一な伝達を一層促進している。
【０００６】
重要なのは、ウェーハの温度が再現性を有し、高精度であり、且つプロセス条件と無関係のような態様で正確に測定されて制御されることである。また、処理されつつあるウェーハの表面全体にわたり、且つ各ウェーハの表面の端から端まで均一の温度を維持することも重要である。摂氏で２，３度に過ぎないウェーハ温度の非均一性や目標プロセス温度からの逸脱により、ウェーハから製造された半導体デバイスに異常が生じ、最終製品が不良になる。処理中のウェーハ表面の温度は高温計もしくはパイロメータを使用して測定されるのが一般的である。高温計は、表面から放出される放射又は放熱を検出する非接触の測定装置である。
【０００７】
高温計による温度測定の精度は、表面の光学的特性、特に、測定されつつある物体の放射率に大きく左右される。放射率は、実際の表面からの放射を同一温度での“黒体”即ち理想放射物体からの放射と対比して比較するパラメータである。高温計は、黒体放射源を用いて較正されるようになっている。半導体ウェーハの放射率の値は、半導体ウェーハ上に堆積される材料、基板ドーピング、表面粗さ、及びウェーハ温度に依存している。また、放射率は、ウェーハの表面上に成長した膜の厚さにも依存しており、この放射率の値は堆積工程中に変化するものである。従って、半導体ウェーハ温度の測定は、ウェーハの放射率変化により生ずる測定誤差を克服するように設計された、放射率について補正された高温計の使用を望ましくは必要としている。
【０００８】
より均一な被覆を各ウェーハの表面全体にわたり堆積させることができるように、ウェーハの表面全体にわたりより均一な温度分布をもたらすシステムの必要性が存在することになる。
【０００９】
［発明の概要］
本発明は、基板の制御された加熱を行うための方法及び装置を提供するものである。本発明の一側面では、化学蒸着反応室にある基板を加熱するための装置を備えている。この装置は、反応室にある少なくとも１つの基板を保持するための支持体を備えており、該支持体は第１区域及び第２区域を有している。支持体は中心軸線を有するのが典型的であり、上述の第１区域及び第２区域は、この中心軸線から異なる半径方向距離に配置されている支持体の単なる範囲である。回転装置は、中心軸線の回りに支持体を回転させるために設けられている。
【００１０】
また、装置は、支持体及び少なくとも１つの基板を加熱するように配設された第１及び第２加熱要素を備えていることが好ましい。第１加熱要素は、第１区域を優先的に加熱し、即ち、熱を支持体の主に第１区域に作用させるように配設されているのが好ましい。装置は、プロセス温度を測定するため、基板表面に指向される少なくとも１つの基板用高温計を備えていることが更に好ましい。基板用高温計は、プロセス温度の測定値が基板放射率とは関係なく基板温度を表わすように、放射率補償型高温計であることが望ましい。装置は、支持体表面の１つの区域とそれぞれ関連した少なくとも２つの支持体用高温計を更に備えていることが望ましい。この少なくとも２つの支持体用高温計は、非放射率補償型高温計であることが好ましい。各支持体用高温計は、支持体の関連区域からの放射を表わす区域信号を発生するように作動している。
【００１１】
最も好ましいのは、装置が第１及び第２の支持体用高温計に接続された第１のコンパレータを備えていることである。この第１のコンパレータは、第１及び第２区域信号間の差を表わす第１差信号を発生するように設けられている。最も好ましいのは、１つ以上のコントローラが少なくとも部分的にプロセス温度に基づいて第２加熱要素の作動を制御するように構成され、かつ配設されていることである。また、このコントローラは、少なくとも部分的に第１差信号に基づいて第１加熱要素の作動も制御することが可能となっている。
【００１２】
最も好ましいのは、第２加熱要素が差信号を参照することなくプロセス温度に基づいて制御され、一方、第１加熱要素がプロセス温度に関係なく差信号に基づいて制御されるように、別個のフィードバックループを形成することである。支持体表面の放射率は、未知であり、プロセス中に変化するのが普通である。支持体表面は拡散反射率を有するのが普通であるから、放射率補償型高温計は、支持体の放射率を補正するのに使用することができない。従って、支持体用高温計からの区域信号は、支持体温度の正確な測定値を普通にもたらすものではない。しかし、支持体表面の放射率は、支持体の双方の区域において同一であるから、コンパレータにより発生された差信号は、２つの区域間の温度差を表わすことになる。差信号を最小にすることにより、装置は、支持体の双方の全区域にわたり温度均一性を確保し、それにより基板の温度均一性を向上させている。
【００１３】
２つ以上の区域を使用することができる。例えば、第１区域を第２区域の半径方向内方に配置すると共に、支持体は、この第２区域の半径方向外方に第３区域を配置せしめることが可能である。装置は、支持体の第３区域からの放射を表わす第３区域信号を発生するように作動する第３の支持体用高温計を備えていてもよい。第２のコンパレータは、第２及び第３区域信号間の差を表わす第２差信号を発生するように配設されている。１つ以上のコントローラは、少なくとも部分的に第２差信号に基づいて第３加熱要素を制御するように作動している。
【００１４】
本発明の別の側面は、化学蒸着装置にある基板の温度を制御するための方法を含んでいる。本発明のこの側面による方法は、化学蒸着装置にある基板を支持するための支持体を用意することを含むのが望ましい。少なくとも１つの加熱要素を使用して、基板及び支持体がプロセス設定点まで加熱される。本発明の一側面によると、基板の温度は、好ましくは放射率補償型高温計を用いて測定される。支持体温度に関連したパラメータの指示は、支持体上の少なくとも２つの区域から得られる。例えば、このようなパラメータの指示は、非放射率補償型高温計により測定される２つの区域からの放射強度を表わしている。次いで、少なくとも２つの区域におけるこのようなパラメータの指示は、２つの区域間の温度の差に関連した差信号を取得するため、互いに比較される。支持体の当該区域の少なくとも１つへの熱伝達は、差信号が所定レベルに達するまで、例えば、１つ以上の加熱要素への電力の入力を調節することによって、調整されている。代表的にはこの所定レベルは実質的にゼロであるから、２つの区域は同一温度に落ち着くことになる。
【００１５】
本発明の更なる特徴及び利点は、以下の記載において説明されている。言うまでもなく、前述の全般的な説明及び後述の詳細な説明は、例示的であり、請求項にあるような本発明の更なる記載を規定することを意図している。
【００１６】
［詳細説明］
次に、添付図面に一例が示された本発明の好適な実施例について詳細に説明する。本発明の装置の好適な一実施例は、図３に示されている。図示のように、基板支持体１１０は、中心軸線１１５の回りに回転自在にスピンドル１１４に取付けられているサセプタ１１２上に組み立てた関係で位置決めされている。
【００１７】
この基板支持体１１０は、例えば、モリブデン、グラファイト、又は炭化ケイ素被覆のグラファイトのような耐熱材料から、上側表面１５０及び下側表面１５２を有するほぼ円板状部の形態で形成されている。上側表面１５０は、一つの平面上で通常広がると共に、複数の円筒形凹部又はポケット１５４を有しており、各ポケット１５４が基板１６０を受け入れる大きさに作られている。図４を参照すると分かるように、基板支持体１１０は、１６個の凹部又はポケット１５４を備えるように示されており、これらのポケットが例えば半導体ウェーハでよい１６枚の基板１６０を保持している。ポケット１５４は、軸線１１５近くの４個のポケット１５４ａからなる内側環体と、この内側環体を囲む１０個のポケット１５４ｂからなる外側環体とに配置されている。しかし、言うまでもなく、基板支持体は、ただ１枚の基板、及び４０枚又はそれ以上の基板を保持するように設計してもよい。
【００１８】
第１加熱要素１２０は、基板支持体の第１区域もしくは半径方向内側区域１２１の直下に配置されているので、この第１加熱要素からの熱は基板支持体の内側区域に優先的に向けられることになる。即ち、内側の加熱要素１２０により加えられる熱は基板支持体の内側区域１２１に集中されるが、同内側の加熱要素により放出される熱は、ある程度基板支持体のその他の区域の温度にも影響を及ぼすことになる。第２もしくは中間の加熱要素１３０は、区域１２１の半径方向外側にある第２もしくは中間区域１３１の直下に配置されているので、この加熱要素１３０は中間区域を優先的に加熱することになる。同様に、第３もしくは外側の加熱要素１４０は、区域１３１の半径方向外側にある第３もしくは外側区域１４１の直下に好ましくは配置されているので、この加熱要素１４０は外側区域を優先的に加熱することになる。
【００１９】
加熱要素１２０，１３０及び１４０は、軸線１１５を中心として対称的に配置されるのが好ましい。これらの加熱要素は、通常の電気抵抗加熱装置とすることが可能である。中間の加熱要素１３０は、他の加熱要素よりも出力が高いことが望ましい。また、中間の加熱要素の半径方向スパンｒｍは、他の加熱要素の対応する寸法よりも大きいことが望ましい。加熱要素１２０は、第１又は内側の電源１２２に接続されており、次いでこの電源１２２は、第１又は内側のコントローラ１２４に接続され、該コントローラ１２４が電源１２２により供給される電力を制御することが可能であり、従って、加熱要素１２０により放出される熱を制御することが可能となっている。同様に、加熱要素１３０は、第２又は中間の電源１３２に接続されており、次いでこの電源１３２は、第２又は中間のコントローラ１３４に接続されている。外側の加熱要素１４０は、第３又は外側の電源１４２に接続されており、次いでこの電源１４２は、第３又は外側のコントローラ１４４に接続されている。
【００２０】
この装置は更に、第１又は内側の支持体用高温計１２６と、第２又は中間の支持体用高温計１３６と、第３又は外側の支持体用高温計１４６とを備えている。これらの支持体用高温計は、非放射率補償型高温計である。従って、各支持体用高温計は、その高温計に当る放射を表わす信号を発生するようになっている。支持体用高温計１２６は、反応室に対して固定の位置にある焦点１５０ａからの放射を受けるように配設されている。この焦点は、基板支持体１１０の第１又は内側の区域１２１内で、同基板支持体の上側表面１５０上にある。図４を参照すると最も良く分かるように、軸線１１５を中心とする基板支持体１１０の回転により、焦点１５０ａは、内側区域１２１内で基板支持体の上側表面上の通路１５３ａに沿って通過もしくはスィ−プをすることになる。この通路１５３ａは、軸線１１５と同心であり、ポケット１５０ａからなる内側環体よりも内方に位置している。従って、焦点１５０ａは、基板支持体の回転位置に関係なく、常に基板支持体の上側表面上にあり、ポケットに収容された基板上にはない。このようにして、内側の支持体用高温計１２６は、内側区域１２１において基板支持体の上側表面１５０から放出される放射を表わす信号を発生し、この信号は、第１又は内側区域信号と呼ばれる。
【００２１】
第２又は中間の支持体用高温計１３６は、ポケット１５４ａからなる内側環体とポケット１５４ｂからなる外側環体との間で中間区域１３１にある通路１５３ｂに沿って通過する焦点１５０ｂからの放射を受ける。従って、第２の支持体用高温計１３６は、第２又は中間区域１３１における基板支持体の上側表面から放出される放射を表わす第２区域信号を発生することになる。同様にして、第３又は外側の高温計１４６は、外側ポケット１５４ｂの外側にある第３又は外側区域１４１において外側表面に沿って進む焦点１５０ｃからの放射を検出する。従って、高温計１４６は、第３又は基板支持体の外側区域により放出される放射を表わす第３区域信号を発生することになる。
【００２２】
支持体用高温計１２６，１３６及び１４６により発生されるこれらの区域信号は、諸区域における基板支持体の実際温度を正確に表わしていない。基板支持体の各区域からの放射は、温度だけでなく、基板支持体表面の放射率の関数でもある。基板支持体は、未知の放射率を有する材料から形成されているが、この放射率は、種々の材料が基板支持体表面上に堆積されるという事実のため、堆積装置の使用のたびに変化する。更に、基板支持体表面の放射率は、温度の変化に伴って変化する。しかし、基板支持体の温度及び放射率の関係は、基板支持体の上側表面全体にわたり実質的に同一となる。従って、基板支持体表面上の２箇所が同じ強度で放射を出していれば、それらの温度は同一である。更に、放出された放射の強度は、少なくとも、化学蒸着法で使用される温度の範囲内で、温度の変化に伴って単調に変化する。従って、基板支持体表面の第１部分が同表面の第２部分よりも強い強度で放射を出していれば、この第１部分はより高い温度である。そのため、種々の支持体用高温計により発生される区域信号は種々の区域についての絶対的な温度測定値を提供するものではないが、これらの信号は、温度に関係したパラメータ（基板支持体表面からの放射）を表わすものとなる。
【００２３】
第１又は内側の支持体用高温計１２６及び第２又は中間の支持体用高温計１３６の信号出力は、第１コンパレータ１４９の入力結合部に接続されており、該第１コンパレータはその出力部に第１差信号を発生する。この第１差信号は、コンパレータ１２６からの第１区域信号及び高温計１３６からの第２区域信号の間の差を表わしている。第１差信号の大きさは、両区域信号間の差の大きさに比例しているが、第１差信号の符号は、どちらの区域信号が大きいかを示している。第１コンパレータ１４９の出力は第１又は内側のコントローラ１２４に接続されているので、第１差信号は第１コントローラに供給されることになる。第２又は中間の支持体用高温計１３６及び第３又は外側の支持体用高温計１４６の信号出力は、第２コンパレータ１４８の入力結合部に接続されているので、この第２コンパレータは、高温計１４６からの第３又は外側区域信号及び高温計１３６からの第２又は中間区域信号の差を表わす第２差信号を発生することになる。第２コンパレータの出力は、第３又は外側のコントローラ１４４の入力部に接続されている。
【００２４】
また、この装置は、放射率補償型高温計である２つの別々の高温計１３８，１３９も備えている。用語“放射率補償型高温計”とは、物体からの放射を測定するように配置されると共に、同物体の放射率に関係するその物体のパラメータを測定するように配置された通常の計器を示しており、同計器が物体の放射率の変動に関係なく高精度で物体の温度を表わす信号を発生するようになっている。例えば、放射率補償型高温計は、物体から放出される放射を測定するための通常の諸要素に加えて、測定すべき物体に向けて照準をあてたレーザのような放射放出要素と、物体により反射されるレーザからの放射の割合を求めるための検出器とを備えていてもよい。典型的な放射率補償型高温計は、鏡のような反射率を有する物体についての正確な温度の読みを与えるに過ぎない。
【００２５】
基板用高温計１３８は、スポット１３３ａにおける温度を監視するために配設されている。基板支持体が軸線１１５を中心として回転するときに、このスポットは、ポケット１５４ａと交差する通路１３５ａに沿って、基板支持体１１０の上側表面を横切るように進む。従って、スポット１３３ａは図４に示すようにポケットと整列しているが、高温計はポケット内に配置された基板１６０の温度を測定することになる。基板は、一般的に鏡のような反射率を有しており、基板表面の放射率及び温度は、正確に測定されるようになっている。基板支持体のその他の回転位置で、スポット１３３ａは、ポケット間にある基板支持体自体の表面と整列している。基板支持体表面は拡散反射率を有しているので、高温計１３８は、基板支持体表面の温度を正確に測定しない。高温計１３８は、基板１６０の温度のみを表わす信号を発生するように、上述の回転位置において一時的に動作不能とされることが好ましい。例えば、この装置は、基板支持体及び／又はスピンドル１１４の回転位置を検出すると共に、スポット１３３ａがポケット１５４ａ間の部位と整列する上述の回転位置で高温計からの信号出力を瞬時的に遮断する装置（図示せず）を備えていてもよい。
【００２６】
他の基板用高温計１３９は、ポケット１５４ｂに交差する通路１３５ｂに沿って進むスポット１３３ｂでの温度を測定する。高温計１３９は、高温計１３８と同じ方法で作動するが、ポケット１５４ｂに収容された基板１６０の温度を表わす信号を発生する。
【００２７】
基板用高温計１３８及び１３９は、該高温計からの信号を平均するように設けられた信号処理回路１５９に接続されており、この信号処理回路が平均基板温度を表わす信号を発生する。この平均基板温度はプロセス温度とも呼ばれる。信号処理回路１５９の出力は、第２又は中間のコントローラ１３４の入力に接続されている。
【００２８】
作動中、本発明の一実施例による方法においては、ウェーハ支持体１１０に基板１６０が負荷されている。第２又は中間のコントローラ１３４は、信号処理回路１５９により伝えられる平均基板温度もしくはプロセス温度を設定値と比較して誤差信号を得ると共に、第２又は中間の電源１３２に補正信号を供給している。コントローラの伝達関数は、比例−積分−微分即ち“ＰＩＤ”制御関数であり、このＰＩＤ制御関数において、補正信号は、誤差信号に比例する項と、ある時間にわたる誤差信号の積分に比例する項と、誤差信号の一次導関数に比例する項との合成関数である。従って、中間のコントローラ１３４は、プロセス設定値と平均プロセス温度との間に差があれば、中間の電源１３２により供給される電力を調整することになる。例えば、プロセス温度が設定値よりも低ければ、コントローラ１３４は、プロセス温度がプロセス設定値にほぼ等しくなるまで、電源１３２に信号を出して中間の加熱要素１３０への電力を増大させる。
【００２９】
第３又は外側のコントローラ１４４は、コンパレータ１４８からの第２差信号を所望の差信号を表わす所定レベルと比較している。通常、基板支持体の第３又は外側区域１３１を第２又は中間区域１２１と同一の温度に維持したい場合、この所定レベルはゼロである。第３又は外側のコントローラは、望ましくは上述したものと同様のＰＩＤ伝達関数を用いて、制御信号を発生している。この制御信号により、第３又は外側の電源１４２に外側の加熱要素１４０への電力を増減させている。
【００３０】
例えば、コンパレータ１４８からの第２差信号の符号は、外側の支持体用高温計１４６が中間の支持体用高温計１３６よりも強い放射を検出しつつあることを示している。このため、基板支持体の第３又は外側区域１４１が第２又は中間区域よりも高温であることを示していれば、第３又は外側のコントローラ１４４は、差信号が上述の所定レベルに達するまで、外側の電源１４２に信号を出して外側の加熱要素１４０への電力出力を減少させることになる。所定レベルがゼロであると仮定すれば、このレベルに達するということは、第２又は中間の支持体用高温計１３６からの区域信号並びに第３又は外側の支持体用高温計１４６からの区域信号が実質的に等価であることを示しており、従って、基板支持体の区域１３１及び１４１が同一温度であることを示している。もちろん、コンパレータ１４８からの差信号は、最初に、第３又は外側の高温計１４６が第２又は中間の高温計１３６よりも弱い放射を検出しつつあることを示していれば、コントローラ１４４は、電源１４２に信号を出して第３又は外側の加熱要素１４０に供給される電力を増大させ、それにより区域１４１への熱伝達を向上させている。
【００３１】
第１又は内側のコントローラ１２４は、同コントローラ１２４がコンパレータ１４９からの第１差信号に応答する点、及び第１又は内側の加熱要素１２０による熱の発生を制御して第１又は内側区域１２１への熱伝達を制御するように電源１２２を制御する点を除いて、第３又は外側のコントローラ１４４と実質的に同様に作動している。従って、コントローラ１２４は、コンパレータ１４９からの第１差信号を典型的にはゼロである所定レベルと比較し、この比較に基づいて誤差信号を発生し、該誤差信号に基づいて制御信号を発生するが、その際、上述したＰＩＤ伝達関数を使用するのが望ましい。制御信号は、第１又は内側の電源１２２に向けられる。中間の支持体用高温計１３６からの区域信号及び内側の支持体用高温計１２６からの区域信号が異なっていれば、中間の支持体用高温計１３６からの区域信号及び内側の支持体用高温計１２６からの区域信号の差が典型的にはゼロである所定レベルまで減少して、これら高温計の双方が実質的に等価の放射を受けつつあること、並びに第１又は内側区域の温度が第２又は外側区域の温度と実質的に等価であることを指示するまで、コンパレータ１４９からの第１差信号が、内側のコントローラ１２４により内側の加熱要素１２０に供給される電力を変化させている。ここで使用されているように、実質的に等価とは、基板表面上の２箇所間の放射の差が約２％より小さいこと、好ましくは約１％よりも小さいこと、更に好ましくは約０．５％よりも小さいことを意味している。
【００３２】
従って、上述した装置及び方法は、基板支持体が放射率補償された測定値を得ることを実現不能にし、同基板支持体の精確な温度測定値を得ることを実現不能にする拡散表面を有しているにも拘わらず、放射率補償型の基板用高温計を使用する基板温度自体の直接測定により実際の基板（ウェーハ）温度の正確な調整を可能にすると共に、基板支持体からの放射の測定値を用いて基板支持体全体にわたり温度を均一に維持している。
【００３３】
実験の結果、プロセス温度を維持しながら基板支持体の温度をその半径全域にわたり実質的に均一にすることにより、基板の表面全域にわたり温度均一性をより良くすることが示された。
【００３４】
図５は、ウェーハ及び基板支持体の温度均一性間の関係をグラフで描写している。Ｙ軸は温度を摂氏で表わしており、Ｘ軸は基板の表面の端から端までの半径方向の距離を任意の単位で表わしている。実験によると、外側の支持体用高温計の読みが内側の支持体用高温計よりも大きい場合、図５の上側曲線により示されるように、ウェーハの表面の端から端までの温度は７．５℃以上の差で変化し得ることを示している。内側の支持体用高温計からの温度表示が外側の支持体用高温計からの温度表示と等しくなるように、基板支持体の温度を本発明の好適な実施例に従って調節する場合、ウェーハ表面の端から端までの温度差は約５℃未満である。
【００３５】
言うまでもなく、本発明は、ここに図示して説明したような高温計、加熱要素、電源、コンパレータ又はコントローラの特定の数もしくは配列に限定されるものではない。単なる一例であるが、３個よりも多い支持体用高温計を使用して２つよりも多い差信号を得ることができる。逆に、内側の加熱要素１２０又は外側の加熱要素１４０を省略すると共に、当該省略された加熱要素と関連する支持体用高温計、コンパレータ、コントローラ及び電源を省略して、２個のみの加熱要素を備えるシステムを提供することができる。このようなシステムにおいては、省略された加熱要素と関連した基板支持体の区域を加熱するために中間の加熱要素１３０が使用され、従って、基板支持体は、別個に制御可能な２つのみの区域を有することになろう。更なる変形例において、上述した実施例における第２又は中間の加熱要素は、実質的に基板支持体全体を非選択的に加熱するように配設されているので、この加熱要素は、第２区域１３１だけでなく、第１区域１２１及び第３区域１４１を実質的に加熱するようになっている。このような構成において、第１の加熱要素１２０及び第３の加熱要素１４０は、第１区域１２１及び第３区域１４１に局限された熱を付加的に供給して、これらの区域に生じる付加的な熱損失を乗り切っている。
【００３６】
コンパレータ１４８，１４９、プロセッサ１５９並びにコントローラ１２４，１３４及び１４４は、明確にするために機能ブロックとして示されている。当業者にとっては言うまでもないことであるが、これらの素子は、別々に実装されてもよいし、或いは互いに統合されていてもよい。例えば、コンパレータ及びコントローラのような信号処理素子は、多目的プロセッサ、適当なソフトウエア命令、アナログ／ディジタル変換器及びディジタル／アナログ変換器を有するコンピュータ内に実装し得るものである。また、幾つかの支持体用高温計の諸機能は、１つの放射検出素子を有すると共に、可動ミラー又はその他の光学装置を有する単一計測器において実行することができ、この可動ミラー又はその他の光学装置は、上述の計測器が異なる時間に異なる位置からの放射を検出するように同計測器の焦点位置を移動させている。この場合、装置は、計測器が１つの焦点からの放射を監視して１つの区域信号を得ている間に、もう１つの焦点からの放射又はもう１つの区域信号を表わす値をホールドするためのサンプルホールド回路もしくはディジタルメモリを備えていてもよい。同様に、２つの別個の高温計の機能は単一計測器に統合することができる。それ程好適ではないが、更なる変形例においては、唯１つの基板用高温計を使用して単一焦点からの唯１つの基板温度を得ており、この単一の基板温度がプロセス温度として使用されている。
【００３７】
図１〜図４に関連して上述した好適な実施例において、第２又は中間の加熱要素は、プロセス温度もしくは平均基板温度に対してのみ制御されるが、第１及び第３（内側及び外側）の加熱要素は、第２又は中間の加熱要素を制御するのに使用されるフィードバックループとは完全に別個のフィードバックループにより、差信号のみに対して制御されるようになっている。しかし、この解決策の変形例において、加熱要素のうちの幾つか或いは全てについてのフィードバックループは、部分的に差信号を前提とし、部分的にプロセス温度を前提とすることができる。例えば、コントローラは、第１の加熱要素への電力の増大が第２の加熱要素への電力よりも小さいが、第１及び第２の加熱要素の双方への電力を増大することにより、所望プロセス温度は低いが第１又は内側区域が第２又は中間区域よりも高温であるような状況に反応するように準備されている。このようにするための準備の一つは、第２のコントローラ１３４により供給される制御信号に、第１のコントローラ１２４により供給される制御信号＋１の和を乗じることによって、第１の電源１２２に対する制御信号を導出することである。しかし、このような複雑さは一般的には必要とされない。
【００３８】
基板支持体の特定区域への熱伝達を調節し、従って、かかる区域の温度を上昇又は低下させるために代替手段を利用することができる。例えば、ある区域の温度は、その区域に関連した加熱要素の電力を維持すると共に、同加熱要素を基板支持体により近く移動させることによって、上昇させることができる。同様に、ある区域の温度は、基板支持体のこの区域と加熱要素との間の距離を増すことによって、低下させることができる。別の実施例において、特定の区域に関連した加熱要素は、より小さな複数の加熱要素として提供されることができる。ある区域の温度は、この区域に関連した複数の小さな加熱要素のより多くに電力を供給することによって上昇させることができ、或いは特定区域に関連した複数の加熱要素のより少数に電力を供給することにより低下させることができる。別の実施例において、上述したような制御信号に応答して基板支持体の諸区域を加熱及び冷却するために加熱要素及び冷却要素を組み合わせて使用することができる。更に別の実施例において、基板支持体の特定区域の温度を上昇又は減少させるために、これらの加熱装置の各々及び冷却装置の組合せを用いることができる。
【００３９】
本発明は、上述したような円板状基板支持体以外の基板支持体と共に適用することができる。一実施例において、ほぼ円筒形のドラム状基板支持体は、その中心軸線回りに回転自在であると共に、円筒形周面上に複数のウェーハを支持している。基板支持体は、半径方向というよりはむしろ軸方向に離間した複数の区域を備えていてもよく、加熱要素及び支持体用高温計はそれに応じて配設されている。
【００４０】
前述した第１及び第３のコントローラ１４９，１４８は、差信号を所定レベルと比較して誤差信号を導出している。全ての高温計が同一特性を有していれば、また、コンパレータが差信号にいかなるオフセットも導入していなければ、この所定レベルをゼロに設定することにより基板支持体の種々の区域にわたり最も均一な温度が実現されることになる。しかし、諸高温計が互いに異なっていれば、或いはコンパレータが多少のオフセットを差信号に導入していれば、非ゼロ差信号は最も均一な温度分布を表わすことになる。従って、これらのコンパレータによって用いられる諸所定レベルは、均一な温度分布を維持するために、同じでも異なっていてもよい非ゼロ値に設定してもよい。また、これらのコンパレータによって用いられる諸所定レベルは、基板支持体の種々の区域に非均一の温度を故意に生じさせるために、ゼロ以外の値に設定することもできる。
【００４１】
前述した好適な実施例において、基板支持体からの放射強度は、温度に関係するパラメータとして測定されている。基板支持体からの放射の分光組成を放射強度の代わりに監視することができる。化学蒸着装置の環境において測定可能であり、温度に関係するその他のパラメータを使用して本発明を実施することが可能である。例えば、基板支持体自体の電気特性又は基板支持体に装着された変換器の電気特性を基板支持体の異なる区域において監視することができる。
【００４２】
当業者にとって明らかであるように、本発明の精神もしくは範囲から逸脱することなく、本発明の種々の改変及び変形が可能である。従って、本発明は、これらの改変及び変形が冒頭の特許請求の範囲及びそれらの均等物の範囲内にある限り、これら改変及び変形も対象として含むものである。
【図面の簡単な説明】
【図１】
先行技術による被覆装置の概略正面の断面図である。
【図２】
先行技術によるウェーハ支持体の概略正面の断面図であり、そこに取付けられたウェーハ、サセプタ、このサセプタを支持するのに用いられる支持スピンドル、及びサセプタを加熱するための通常の加熱装置を示している。
【図３】
本発明による装置の一実施例の概略正面の断面図である。
【図４】
図１の実施例において使用されるウェーハ支持体の上部平面図である。
【図５】
ウェーハ温度均一性と支持体温度均一性との間の関係を示す実験的に得られたデータをグラフで表示している。
【図５】
2004513510.tif 000003
【国際公開パンフレット】
2004513510.tif 000004
2004513510.tif 000005
2004513510.tif 000006
2004513510.tif 000007
2004513510.tif 000008
2004513510.tif 000009
2004513510.tif 000010
2004513510.tif 000011
2004513510.tif 000012
2004513510.tif 000013
2004513510.tif 000014
2004513510.tif 000015
2004513510.tif 000016
2004513510.tif 000017
2004513510.tif 000018
2004513510.tif 000019
2004513510.tif 000020
2004513510.tif 000021
2004513510.tif 000022
2004513510.tif 000023
2004513510.tif 000024
2004513510.tif 000025
2004513510.tif 000026
2004513510.tif 000027
2004513510.tif 000028
【国際調査報告】
2004513510.tif 000029
2004513510.tif 000030